(57)【要約】【課題】電話網からの着信およびデータ通信と、情報機器とのデータ通信とが競合した場合のデータの不整合や破壊を防止し、両者の並行処理または切り替え処理を実現することを課題とする。【解決手段】電話網と通信を行う第１通信部と、情報機器とデータ通信を行う第２通信部と、前記第２通信部によるデータ通信と前記第１通信部による電話網との通信が並行して行われる場合に、前記第２通信部によるデータ通信を中断し、前記第１通信部による電話網との通信が終了した後に、前記第２通信部によるデータ通信を再開するように通信を制御する通信切替部とを備えたことを特徴とする。【選択図】図１
2006197481.tif 000002
【特許請求の範囲】
【請求項１】
電話網と通信を行う第１通信部と、
情報機器とデータ通信を行う第２通信部と、
前記第２通信部によるデータ通信と前記第１通信部による電話網との通信が並行して行われる場合に、前記第２通信部によるデータ通信を中断し、前記第１通信部による電話網との通信が終了した後に、前記第２通信部によるデータ通信を再開するように通信を制御する通信切替部とを備えたことを特徴とする情報通信装置。
【請求項２】
前記第１通信部と前記第２通信部によって通信される情報を記憶する記憶部と、
前記第２通信部によるデータ通信が中断しているときに、前記第１通信部によって受信した情報が、前記情報機器と通信されるデータが記憶されている前記記憶部の領域に記憶された場合、前記第２通信部によるデータ通信を再開するときに、前記情報機器との間で通信すべきデータを再通信するように制御する制御部とをさらに備えたことを特徴とする請求項１の情報通信装置。
【請求項３】
前記第２通信部によるデータ通信と第１通信部による電話網との通信が並行して行われる場合に、前記第２通信部によるデータ通信を中断する第１通信モードと、
前記第２通信部によるデータ通信中は前記第１通信部による通信を禁止する第２通信モードとのどちらかを選択する通信モード選択部をさらに備えたことを特徴とする請求項１の情報通信装置。
【請求項４】
前記情報機器と接続するためのインタフェース部を備え、
前記インタフェース部が、ＵＳＢ接続，ワイヤレスＬＡＮ接続またはＢｌｕｅｔｏｏｔｈ接続の少なくとも一つを実現する機構からなることを特徴とする請求項１の情報通信装置。
【請求項５】
表示部をさらに備え、表示部が前記第２通信部によってデータ通信が行われている場合と、データ通信が中断している場合を区別して表示することを特徴とする請求項１の情報通信装置。
【請求項６】
前記記憶部に記憶される情報のうち、電話網との通信に利用される固有の情報は、前記情報機器からアクセスできないように記憶されることを特徴とする請求項２の情報通信装置。
【発明の詳細な説明】
【技術分野】
【０００１】
この発明は、情報通信装置に関し、特に、パソコン等の情報機器とのデータ通信と、有線又は無線の電話網を介した通話およびデータ通信とが可能な情報通信装置に関する。
【背景技術】
【０００２】
従来、携帯電話は、電話網を介して他の携帯電話や一般加入電話回線に接続された電話機と通話する機能の他に、他の携帯電話と電子メール等の送受信を行うデータ通信機能を有する。
また、通話やデータ通信を行うために、いわゆる電話をかけるための発信機能や、他の電話機からの着信を検出する着信検出機能を有し、電子メール等の受信データを内部メモリに格納するメモリ機能を有している。
【０００３】
さらに、携帯電話の中には、ＵＳＢケーブルを接続するコネクタを備え、パソコン等の情報機器とＵＳＢケーブルで接続し、受信した電子メール等をパソコンに転送したり、パソコンから電話帳などの設定データや送信すべきデータを受け取り内部メモリに格納する機能を有するものもある（たとえば、特許文献１参照）。
特許文献１に記載の携帯電話機では、ＵＳＢケーブルを介してパソコンに接続されると、その携帯電話機はそのパソコンの外部記憶装置として利用される。
【特許文献１】特開２００２−３５９６９４号公報
【発明の開示】
【発明が解決しようとする課題】
【０００４】
しかし、特許文献１に記載のものでは、ＵＳＢケーブルでパソコンと接続した状態では、パソコンとの間でデータ通信は可能であるが、電話網を介した通話やデータ通信はできない。すなわち発信機能や着信機能は停止されており、携帯電話機はパソコンの外部記憶装置としてのみ動作が可能である。
したがって、ＵＳＢケーブルが接続された状態の携帯電話に着信があってもその着信は拒絶され、携帯電話の所有者が、着信があったことを知ることはできなかった。逆に言えば、その所有者に緊急の電話をかけたい者が発信をしても、その所有者の携帯電話がＵＳＢケーブル接続状態である場合は、その発信は受けつけられず、通話できない状態となっていた。
【０００５】
また、従来の携帯電話に電話網から通話による着信があった場合には、着信履歴の更新等をするために、その携帯電話の内部メモリが書き換えられ、電話網から電子メール等の受信があった場合も、その受信データの保存のために内部メモリが書き換えられる。
ここで、携帯電話がパソコン等の外部記憶装置として利用される場合には、内部メモリは一般にＦＡＴのようなファイルシステム構造で管理される。しかし外部記憶装置として利用した後に、電話網からの着信を単に受けつけるようにしただけでは、着信時の内部メモリの書き換えが生じるために、パソコンによって格納されていたデータの不整合や破壊が起こる場合もある。
すなわち、同じ記憶領域に対してデータの上書きによる破壊が起こる可能性がある。
【０００６】
図１５に、パソコンから内部メモリに書き込まれたデータの不整合や破壊が生じた場合の説明図を示す。
図１５（ａ）は、ＵＳＢケーブルで接続する前において、携帯電話の内部メモリに記憶されたデータの一部分を示している。
図１５（ｂ）は、ＵＳＢケーブルが接続され、パソコンでのテキスト編集によりパソコン上のデータの一部分が変更された状態を示している。
【０００７】
このような状態で、その後着信があり、着信履歴が更新されたとすると、携帯電話の内部メモリでは、図１５（ｃ）のように、１行目と２行目のデータ（１  ９月１３日  １５：００，Ｔ本  ０９０−１３５７−１３５７）が追加される。
さらにその後、パソコンから編集されたデータの保存命令が実行されると、携帯電話の内部メモリは、図１５（ｄ）の３つの状態のいずれかとなり、データの不都合が生じる場合がある。
図１５（ｄ）の（Ｉ）は、着信履歴が消去された場合を示しており、（II）は記憶されるべき編集データの一部に不整合が生じた場合を示しており、（III）は、内部メモリのデータが完全に破壊されて読み出せなくなってしまった場合を示している。
【０００８】
パソコンとのデータ通信と、電話網からの着信時のデータ通信とを行うためには、パソコンとの間のデータ転送によるアクセスと、電話網からの着信時のデータ書き込みによるアクセスがメモリの同じ領域に同時に行われないようにする必要がある。しかし、相手先の電話番号など両者のデータ通信で共有されるデータについては完全に分離して管理することは難しく、意図しない書き換えや破壊が起こらないように注意する必要がある。
【０００９】
そこで、この発明は、以上のような事情を考慮してなされたものであり、パソコン等の情報機器とのデータ通信中においても電話網を介した通話およびデータ通信とが行えるようにし、あるいは両方のデータ通信が競合してもデータの不整合が起こらないようにした情報通信装置を提供することを課題する。
【課題を解決するための手段】
【００１０】
この発明は、電話網と通信を行う第１通信部と、情報機器とデータ通信を行う第２通信部と、前記第２通信部によるデータ通信と前記第１通信部による電話網との通信が並行して行われる場合に、前記第２通信部によるデータ通信を中断し、前記第１通信部による電話網との通信が終了した後に、前記第２通信部によるデータ通信を再開するように通信を制御する通信切替部とを備えたことを特徴とする情報通信装置を提供するものである。
これによれば、情報機器とのデータ通信よりも、電話網からの着信によるデータ通信が優先されるので、２つのデータ通信が競合した場合のデータ破壊を防止できる。
【００１１】
ここで、前記第１通信部と前記第２通信部によって通信される情報を記憶する記憶部と、前記第２通信部によるデータ通信が中断しているときに、前記第１通信部によって受信した情報が、前記情報機器と通信されるデータが記憶されている前記記憶部の領域に記憶された場合、前記第２通信部によるデータ通信を再開するときに、前記情報機器との間で通信すべきデータを再通信するように制御する制御部とをさらに備えるようにしてもよい。
【００１２】
また、この発明は、前記第２通信部によるデータ通信と第１通信部による電話網との通信が並行して行われる場合に、前記第２通信部によるデータ通信を中断する第１通信モードと、前記第２通信部によるデータ通信中は前記第１通信部による通信を禁止する第２通信モードとのどちらかを選択する通信モード選択部をさらに備えることを特徴とする情報通信装置を提供するものである。
これによれば、ユーザの意思で、データ通信が競合した場合の処理を選択できるので、ユーザが意図しないデータ破壊を回避することができる。
【００１３】
また、前記情報機器と接続するためのインタフェース部を備え、前記インタフェース部が、ＵＳＢ接続，ワイヤレスＬＡＮ接続またはＢｌｕｅｔｏｏｔｈ接続の少なくとも一つを実現する機構を備えてもよい。
また、表示部をさらに備え、表示部が前記第１データ通信部を介したデータ通信または前記第２データ通信部を介したデータ通信とが行われている場合に、それぞれのデータ通信が行われていることを区別して表示するようにしてもよい。
さらに、前記記憶部に記憶される情報のうち、電話網との通信に利用される固有の情報は、前記情報機器からアクセスできないように記憶されるようにしてもよい。
【発明の効果】
【００１４】
この発明によれば、情報機器とデータ通信中であっても電話網から着信があったときは、そのデータ通信を中断し、着信によるデータ通信を優先するようにしているので、緊急を要する着信等を受理することができ、ユーザの利便性を向上できる。さらに、着信によるデータ通信を優先するモードと、情報機器とデータ通信中は着信によるデータ通信を禁止するモードとを設けているので、ユーザの意図した利用形態で、２つのデータ通信の機能を切り替えることができる。
【発明を実施するための最良の形態】
【００１５】
以下、図に示す実施例に基づいて本発明を詳述する。なお、本発明はこれによって限定されるものではない。
＜この発明の情報通信装置の構成＞
図１に、この発明の情報通信装置の一実施例の構成ブロック図を示す。
この発明の情報通信装置１は、主として、入力部２，表示部３，記憶部４，制御部５，通信制御部６，ＲＦ通信部７，ＷＬＡＮ通信部８，Ｂｌｕｅｔｏｏｔｈ通信部９，ＵＳＢ通信部１０とから構成される。
情報通信装置１は、家庭内に固定設置されるタイプの装置でもよいが、パソコン等の情報機器４１の外部記憶装置として利用するので、携帯可能な小型軽量の端末として構成することが好ましい。たとえば、従来の携帯電話やＰＤＡ程度の大きさの携帯端末とすることが好ましい。
【００１６】
入力部２は、設定データや電子メールなどの文字，図形，記号の入力，発信，着信，データの送受信などの機能選択や指示入力を行うものであり、キーボード，テンキー，専用機能キーの他、ペンやトラックボールなどのポインティングデバイスを用いることができる。
表示部３は、各種設定データや送受信メールなどの情報を表示するためのものであり、ＬＣＤやＥＬ表示などを用いることができる。
【００１７】
記憶部４は、この情報通信端末で利用する各種情報や、プログラムを格納する部分であり、ＲＯＭ，ＲＡＭ，フラッシュメモリなどの半導体記憶素子やメモリカードなどが用いられる。
また、上記各種情報としては、データ電話網２０を介したデータ通信や通話で利用される情報（送受信データ，設定データ，送信履歴情報，着信履歴情報，アドレス帳など）や、情報機器４１などとの通信に利用される情報（文書，画像，音声などのマルチメディア情報など）などがあり、これらの情報は、不揮発性の書き換え可能なメモリに記憶される。
【００１８】
また、記憶部４は、電話網２０を介して送受信される情報を記憶する領域（以下、第１データ記憶領域１４と呼ぶ）と、主としてＷＬＡＮ通信部８，Ｂｌｕｅｔｏｏｔｈ通信部９およびＵＳＢ通信部１０を介して送受信される情報を記憶する領域（以下、第２データ記憶領域１５と呼ぶ）を有するものとする。
ただし、第２データ記憶領域１５には、電話網２０を介して受信され、情報機器４１等とのデータ通信でも利用されるデータが記憶される。
【００１９】
また、プログラムは、ＲＯＭ等の読み出し専用のメモリに予め記憶して提供される場合の他、メモリＩＣカードのような小型記憶媒体に格納して提供される。あるいは、各種通信部（７，８，９，１０）を介して、外部のサーバ等から記憶部４へダウンロードすることにより提供するようにしてもよい。
【００２０】
ＲＦ通信部７は、無線通信で電話網２０と通信を行う部分であり、たとえば、携帯電話やＰＨＳなどの規格を満たした通信手順を実行する部分である。
ＲＦ通信部７を介して、電話網２０に接続されたＲＦ端末３１との間で、データ通信や通話が行われる。
電話網２０は現在利用されているあらゆる有線ネットワークや無線ネットワークを意味し、一般加入電話，ＩＳＤＮ，ＡＤＳＬ，ＦＴＴＨ，ＩＰ電話，インターネットなどがあげられる。
また、この実施例では、情報通信装置１は携帯性を有するものとして説明するのでＲＦ通信機能を有するが、家庭内等で固定設置して使用する場合には、有線タイプの電話網２０に接続する有線通信機能を備えてもよい。
【００２１】
また、ＲＦ通信部７が電話網２０と通信するための手順は、特殊なプロトコルを用いる必要はなく、たとえば携帯電話やＰＨＳとの通信で利用されているプロトコルと互換性のあるプロトコルを用いればよい。
さらに、ＲＦ通信部７を介した電話機能の発着信処理は、携帯電話やＰＨＳで利用されているのと同様の手順および回路構成で実現することができる。
ＲＦ端末３１とは、一般加入電話回線やＩＳＤＮに接続された電話機，無線通信を行う携帯電話，ＰＨＳなどを意味する。
【００２２】
ＷＬＡＮ通信部８は、ワイヤレスＬＡＮ規格の無線通信により、ＷＬＡＮ端末３２と通信を行う部分である。
Ｂｌｕｅｔｏｏｔｈ通信部９は、Ｂｌｕｅｔｏｏｔｈ規格の無線通信により、Ｂｌｕｅｔｏｏｔｈ端末３３と通信を行う部分である。
ＷＬＡＮ通信部８もＢｌｕｅｔｏｏｔｈ通信部９も、それぞれの規格で定められたプロトコルで無線信号を送受信する。
【００２３】
ＷＬＡＮ端末３２やＢｌｕｅｔｏｏｔｈ端末３３は、それぞれの規格で通信可能な機能を有する端末であり、専用端末のほか、パソコン等にそれぞれの規格に適合したアダプタを取り付けることにより通信できるようにした情報機器も含む。
ＵＳＢ通信部１０は、パソコン等の情報機器４１とＵＳＢケーブルを介して通信する部分である。
【００２４】
ＵＳＢ通信部１０は、いわゆるＵＳＢケーブルを接続するコネクタを備え、このコネクタにＵＳＢケーブルが接続されたことを検出し、その検出信号を、通信制御部６へ送信し、ＵＳＢケーブルに接続された情報機器４１との間で、ＵＳＢ規格に適合したデジタル信号を、所定のプロトコルに基づいて送受信する。
後述する実施例では、記憶部４が情報機器４１の外部記憶装置として機能できるように、このＵＳＢ通信部１０を介したデータ通信が行われる。
【００２５】
なお、以下の実施例では、情報機器４１と接続する有線通信は、ＵＳＢケーブルを用いるものとするが、その他の有線ケーブルを用いてもよい。たとえば、ＳＣＳＩケーブル，ＩＥＥＥ１３９４ケーブルあるいはＲＳ２３２Ｃシリアルケーブルなど市販のあらゆる有線ケーブルを用いてもよく、ＳＣＳＩ通信部，ＩＥＥＥ１３９４通信部などを設けてＵＳＢ通信以外のプロトコルで通信するようにしてもよい。
また、図１では、ＷＬＡＮ通信部８と、Ｂｌｕｅｔｏｏｔｈ通信部９と、ＵＳＢ通信部１０を３つとも備えたものを示しているが、この３つの通信部をすべて備える必要はなく、少なくともいずれか一つを備えればよい。
また、図１では、情報機器４１はＵＳＢ通信部１０に接続される形態を示しているが、これに限るものではなく、他の複数の通信接続形態（ＷＬＡＮ通信，Ｂｌｕｅｔｏｏｔｈ通信，ＳＣＳＩ通信など）を有していてもよい。
【００２６】
通信制御部６は、主としてＲＦ通信部７を介したデータ通信と、その他の通信部（８，９，１０）を介したデータ通信との切換制御等を行う部分である。
たとえば、後述するようにＲＦ通信部７を介したデータ通信と、ＵＳＢ通信部１０を介したデータ通信とが同時間帯で競合した場合に、両通信を並行して行えるようにする通信制御や、ＲＦ通信部７を介したデータ通信を優先し、ＵＳＢ通信部１０を介した通信を中断および再開する通信制御や、ＵＳＢ通信部１０を介したデータ通信を優先しＲＦ制御部７を介したデータ通信を禁止する通信制御をする。
通信制御部６は、各通信部（７，８，９，１０）を介した通信のための物理的な接続や論理的な接続の有無を検出する接続検出部や、３つの通信部（８，９，１０）とＲＦ通信部７との送受信信号を切り替えるための信号切替部や、上記した通信制御のうちどれを実行するかを決めるモード切替部などを備えることが好ましい。
【００２７】
制御部５は、上記のような入力部２をはじめとする各機能要素部を制御する部分であり、主として、ＣＰＵ，ＲＯＭ，ＲＡＭ，タイマー，Ｉ／Ｏインタフェース，割り込み制御部などを備えたマイクロコンピュータにより実現される。各機能要素部の動作は、ＲＯＭ等に記憶されたプログラムに基づいてＣＰＵがハードウェアを動作させることにより実現される。
【００２８】
また、制御部５は、着信検出機能を有し、電話網２０からの着信があったことを検出した場合には、割込み制御により、着信処理を実行する。たとえば、情報機器の外部記憶装置として動作中に、他の電話機からの通話目的の着信があった場合には、その着信を検出すると、割込み処理が発生し、通話ができるように図示しないスピーカやマイクをＲＦ通信部７と信号のやり取りができるようにする。
あるいは、電話網２０から電子メールの送信目的の着信があった場合には、その着信を検出すると、割込み処理により、電子メールを受信して記憶部４に格納する。
【００２９】
＜実施例１：着信優先処理＞
ここでは、パソコン４１との間でデータ通信を実行中に、電話網２０からの着信があれば、そのデータ通信を中断し、着信処理のみを実行する処理について説明する。
着信処理が行われ、通話中あるいは電話網を介したデータ通信が行われている間は、パソコン等とのデータ通信は停止状態にする。また、通話が終了したり、電話網を介したデータ通信が終了した後に、一旦中断したパソコン等とのデータ通信を再開させる。データ通信の再開は、中断時の途中のデータ転送から再開するのではなく、データの不整合および破壊による不都合をさけるため、そのデータ転送の最初のデータから再送信するようにする。
【００３０】
図２に、記憶部４の第２データ記憶領域（ＤａｔａＢ）の状態の説明図を示す。
このＤａｔａＢの領域は、パソコンとのデータ通信によるデータｄと、着信に基づくデータ通信の後にコピーされたデータｅとが混在する領域であり、着信により受信したデータｅをメモリ領域βに書き込むときに、メモリ領域αに記憶されたデータｄを上書きしないようにしなければいけない。しかし、パソコンとのデータ通信の中断のタイミングによっては、データｄが書き込まれたメモリ領域αに、着信によるデータｅが書き込まれる可能性もある。
したがって、メモリ領域αに書き込まれたデータｄの不整合を防止するため、パソコンとのデータ転送を再開するときとは、パソコンから最初のデータから再送信されるように制御する。
【００３１】
図３に、この実施例１のデータ通信制御処理のフローチャートを示す。
図３（ａ）は、パソコンとのデータ通信のフローチャートである。
図３（ｂ）は、割込み処理で行われる着信処理とデータ受信処理である。
まず、ステップＳ４１において、着信フラグがセット（ＯＮ）されているか否かチェックする。着信フラグとは、着信の有無を判断するためのフラグであり、たとえば、着信があったとき“１”（ＯＮ）をセットし、着信がないときあるいは着信処理が終了したとき“０”（ＯＦＦ）をセットする。着信フラグは、図３（ｂ）のステップＳ５３でＯＮ（“１”）にセットされる。
着信フラグがＯＦＦ（“０”）であるとき、ステップＳ４５へ進み、パソコンとのデータ通信をそのまま継続する。
【００３２】
パソコンから、画像データ等のデータがこの情報通信装置１へ送信されている場合には、図２に示したように、そのデータは領域αに書き込まれる。
次に、ステップＳ４６へ進み、パソコンとのデータ通信が終了したか否かチェックする。終了していない場合はステップＳ４１へ戻り、次のパケットデータを受信する。データ通信が終了した場合は、処理を終了する。
【００３３】
一方、ステップＳ４１で着信フラグがＯＮ（“１”）のとき、ステップＳ４２へ進み、記憶部４の領域αが書きかえられたか否かチェックする。書きかえられたか否かは、データ転送していたメモリ領域のアドレスと着信時のデータを書き込んだメモリ領域のアドレスを比較することにより確認できる。
領域αが書きかえられていない場合は、ステップＳ４４へ進む。領域αが書きかえられた場合は、パソコンから受信したデータは破壊されている可能性があるので、パソコンへ現在送信中のデータを最初から送るように再送要求を送信し（ステップＳ４３）、ステップＳ４４で着信フラグをＯＦＦ（“０”）にセットする。その後、ステップＳ４５において、パソコンとの間のデータ通信を再開する。
すなわち、パソコンとのデータ通信中に着信があり、データ通信が中断され、その着信により何らかのデータ受信があったために、パソコンから受信したデータがこわれている可能性がある場合には、パソコンのデータ通信を再度最初から行うようにする。
【００３４】
ＲＦ通信部７を介して電話網２０から着信があると、制御部５に着信があったことが伝えられ、ＣＰＵに着信があったことが割込み信号として入力される。この割込み信号の検出により、図３（ｂ）の着信割込み処理が起動される。着信割込み処理が起動されると、ステップＳ５１において、パソコンとの間の論理的なコネクションが切断される。具体的には、図３（ａ）に示したデータ通信処理が一時的に中断される。
【００３５】
次に、ステップＳ５２において、着信処理と、電子メール等の受信データがある場合には、そのデータの受信処理が行われる。ステップＳ５３において、受信データは、図２に示した記憶部４の領域βに書き込まれ、着信フラグをＯＮ（“１”）にセットする。ここで、着信があったことが図３（ａ）の処理で検出できるようになる。
次に、図３(a)のデータ通信処理に戻ることにより、パソコンとの間の論理的なコネクションを再開する。たとえば、図３（ｂ）の割込み処理の中で、図３（ａ）の動作を一時中断していたものをその中断していた部分の次から処理を再開してもよい。
【００３６】
一方、パソコン側では、着信があったこと等の事情は分からないので、データ送信中はデータを送り続けようとする場合もある。この場合、送り続けたデータは受信されずに通信エラーとなるが、ステップＳ４３の再送要求を受信したときに、データ通信を最初からやり直せばよい。
ただし、ステップＳ５１でコネクションの切断がされた場合において、パソコン側でこのコネクションの切断がされたことを検出できる場合は、データ送信を一時中断し、ステップＳ５４でコネクションが再開されるのを待ってからデータ送信を最初から再開してもよい。
【００３７】
また、一般的に、パソコン側からデータ送信を行っている場合、データの送信が最後まで完了したとき、情報通信装置１からデータ受信完了通知（ＡＣＫ信号など）がパソコン４１へ返信されるので、パソコンは、この通知が返ってくるのを待ち、一定時間経過しても通知が返ってこなければ、データ通信を最初から再送するようにしてもよい。
【００３８】
また、パソコン側で一定時間経過してもデータ受信完了通知が返ってこない場合は、情報通信装置に対するデータ転送が完了していないと考えられるので、パソコン側でその旨を表示し、情報通信装置に対するデータ送信を再度実行する操作をユーザにさせるようにしてもよい。
【００３９】
このような処理を行うことにより、パソコンとデータ通信中であっても、着信を受けることができ、着信があったことにより一旦中断したパソコンとのデータ通信も不都合なく再開することができる。また、ユーザに操作負担をかけることなく、パソコンとのデータ通信処理と着信処理とを両立させて実行できる。
【００４０】
以上の実施例では、ＵＳＢケーブルでパソコンと接続した場合を説明したが、ＷＬＡＮ通信部８またはＢｌｕｅｔｏｏｔｈ通信部９を介してそれぞれの端末（３２，３３）と接続し、データ通信を行っている場合も同様の着信割込処理をすればよい。
たとえば、ＷＬＡＮ通信部８を介したデータ通信中に着信があった場合は、割込み処理内で、通信制御部６により通信経路をＷＬＡＮ通信から、ＲＦ通信部７を介した通信に切り替えて着信によるデータ通信を行うようにすればよい。
【００４１】
図４に、実施例１の表示部の画面表示の一実施例の説明図を示す。
図４（ａ）は、ＵＳＢケーブルが接続されていない状態で、着信あるいは発信もしていない状態の画面表示例である。いわゆる、待ち受け画面である。
図４（ｂ）は、ＵＳＢケーブルが接続された状態で、まだパソコンとデータ通信をしていない状態の画面表示例である。ＵＳＢケーブルが接続されたことを示すために、「USB」などの表示を行う。
図４（ｃ）は、ＵＳＢケーブルが接続され、着信はなく、パソコンとの間でデータ転送が実際に行われている状態の画面表示例である。パソコンとの間のデータ転送中を示すために、「通信中」の文言あるいは、それを表すイラストなどを表示する。
図４（ｄ）は、着信があった状態の画面表示を示していて、電話網から送られてきた送信先の情報や、イラストなどで着信があったことを知らせる。実施例１では、着信中はＵＳＢケーブルを介したデータ通信を中断するので、「ＵＳＢ」の表示を薄く表示する。
図４（ｅ）は、パソコンとのデータ通信中に通話による着信があった場合の画面表示であり、「ＵＳＢ」の表示を薄くするとともに、データ通信が中断状態にある表示（ｗａｉｔ）と、通話中である旨の表示をする。
【００４２】
＜実施例２：モード選択処理＞
ここでは、実施例１に示した着信優先処理と、パソコンとのデータ通信中は着信を受理しないデータ通信優先処理とのどちらを実行すべきかを選択操作によりユーザに選択させる場合について説明する。
この選択操作は種々の操作方法があるが、たとえば、モード選択の専用キーを設け、このキーを押下げるごとに、モードが切り替わるようにしてもよい。着信優先処理をするモードをモード１とし、データ通信優先処理をするモードをモード２とすると、専用キーを１回押すごとに、モード１とモード２が交互に切りかわるようにすればよい。
モード１が選択された場合は、着信による通話あるいはデータ通信（通信機能）が起動状態（オン）となり、外部記憶装置としてのデータ通信（外部記憶装置機能）は停止状態（オフ）とする。
一方、モード２が選択された場合は、通信機能がオフ状態となり、外部記憶装置機能がオン状態となる。
【００４３】
また、ＵＳＢケーブルの接続および取りはずしの検出処理により、モード１とモード２との切りかえをしてもよい。すなわち、ＵＳＢケーブルが接続されたときは、モード２に設定してデータ通信優先モードとし、ＵＳＢケーブルが抜かれたときはモード１に設定して着信優先モードとしてもよい。
【００４４】
図５に、実施例２において、ＵＳＢケーブルが接続され、モード２が選択された場合のフローチャートを示す。
まず、ステップＳ１において、ＵＳＢケーブルが接続されたか否か、チェックする。
モード２では、電話網を介した着信処理等の処理は行わないようにするために、ステップＳ３において、通信機能をオフとする。
次に、外部記憶装置としての機能を起動させる（ステップＳ２）。
図６に、実施例２において、ＵＳＢケーブルが取りはずされモード１が選択された場合のフローチャートを示す。
ステップＳ２１において、現在ＵＳＢケーブルが接続されていると認識した状態で、ＵＳＢケーブルの物理的接続がなくなったか否かチェックする。すなわち、ＵＳＢケーブルの＋５Ｖ端子の電源供給がなくなったか否かチェックする。電源供給がなくなった場合、ステップＳ２２へ進み、外部記憶装置機能（プログラム）を停止させる。
電話網を介した着信処理等ができるようにするために、ステップＳ２３において、通信機能をオンとする。
【００４５】
次に、実施例２において、電話網を介した着信等の通信機能をオフにする実施例について説明する。
図７は、ＲＦ通信部７への電源供給を停止する例を示している。一般的に、ＲＦ通信部７を動作させるために、電源部から入力電圧Ｖｉｎがレギュレータ（Ｒｅｇｕｌａｔｏｒ）を介して供給されている。
図７では、このレギュレータの動作を制御するようにする。
【００４６】
制御部５から、GPIOA信号とEnable1信号を与え、この２つの信号をＡＮＤしたEnable2信号をレギュレータに与える。ここでEnable1は通常レギュレータをオンまたはオフする信号である。
このEnable1がオフ（Ｌｏｗ）の場合は、レギュレータには電源電圧Ｖｉｎは供給されない。
一方、ＡＮＤ素子に入力されるGPIOA信号が、通信機能をオンまたはオフするための信号であり、制御部の汎用入出力ポートから供給される。Enable1信号がオンの状態で通信機能をオンするときは、GPIOA信号をオン（Ｈｉｇｈ）とし、通信機能をオフするときは、GPIOA信号をオフ（Ｌｏｗ）とする。これにより、ＡＮＤ素子の出力Enable2信号によって通信機能のオンまたはオフに対応させて、ＲＦ通信部７への電源供給がオンまたはオフされる。
【００４７】
図８は、ＲＦ通信部７に供給されるクロックをオンまたはオフする例を示している。一般に、ＲＦ通信部７には、発振回路（Ｏｓｃｉｌｌａｔｏｒ）からクロックが供給されているので、この発振回路の動作を制御するようにする。
たとえば、制御部からGPIOA信号と、Enable3信号とを与え、この２つの信号をＡＮＤしたEnable4信号を発振回路に与える。GPIOA信号をオンまたはオフすることにより、Enable4信号をオンまたはオフし、Enable4信号がオフの状態で発振回路からクロックが出力されないようにする。これによっても、ＲＦ通信部７の動作を制御でき、通信機能のオンまたはオフができる。
【００４８】
図９は、ＲＦ通信部７に入力されるリセット信号（Reset）を制御する例を示している。ここでも、制御部５から、GPIOA信号とEnable5信号を与え、この２つの信号をＡＮＤしたものをリセット信号とする。ここで、Enable5信号をオンまたはオフすることにより、リセット信号をオンまたはオフすることができ、リセット信号がオンのとき、ＲＦ通信部がリセットされ、通信機能が停止される。
【００４９】
図１０は、ＲＦ通信部７に、レジスタを設け、制御部５がこのレジスタの値（RF Control）を書きかえることにより通信機能を制御する例を示している。たとえば、レジスタの値は、“０”がＲＦ通信部７のオフを意味し、“１”がＲＦ通信部７のオンを意味するとする。ここで、ＲＦ通信部７は、このレジスタの値を常に確認することにより、自らの機能のオンまたはオフをする。すなわち、レジスタに“０”が書き込まれれば、ＲＦ通信部７は動作しないようにする。
【００５０】
図１１は、制御部から出力されるGPIOA信号を、ＲＦ通信部７のＳＴＤＢＹポートあるいはピンに直接入力させて、通信機能を制御する例を示している。たとえば、GPIOA信号をＯＦＦとすることにより、ＳＴＤＢＹポートに直接オフ信号が入力され、ＲＦ通信部７の動作をハードウェア的に停止させる。
【００５１】
図１２は、電話網側の設備で、情報通信装置１への着信をしないようにする例を示している。電話網を介した通話やデータ通信では、基地局や中継機を介して信号の伝達が行われるが、情報通信装置１から基地局（通信会社の中継機など）に対して、通話およびデータ通信の可または不可を通知するようにする。たとえば、情報通信装置１にＵＳＢケーブルが接続されたとき、基地局に対して、自動的に特定の番号へダイヤル接続をし、「今は圏外」というような情報を送信する。この情報を受けた基地局では、その情報通信装置１へのデータ通信や通話の要求が来ても、着信信号を送らないようにする。
【００５２】
また、ＵＳＢケーブルが取りはずされた場合は、自動的に特定の番号へダイヤル接続し、基地局に対して「今は通信可能」というような情報を送信する。この情報を受けた基地局は、データ通信等の要求があれば着信信号を送るようにする。
また、この他に、ＵＳＢケーブルが接続されている状態では、基地局から送信されてくる制御信号を受けても、情報通信装置がこれに対する応答をしないようにすることで、通信機能を停止するようにしてもよい。
【００５３】
図１３に、実施例２のモード選択処理をする場合の表示部の画面表示の一実施例の説明図を示す。
図１３（ａ）は、モード１の着信を待っている待ちうけ時の表示である。
図１３（ｂ）は、ＵＳＢケーブルが接続されモード２が選択された状態の画面表示を示しているが、ここでは、着信が禁止されるので、いわゆるアンテナマークを消し、ＵＳＢ接続によるデータ通信が可能であることを示す「ＵＳＢ」のみを表示させている。
図１３（ｃ）は、ＵＳＢケーブルを介したデータ転送中の画面表示を示している。
【００５４】
＜実施例３：記憶部のデータ構成の実施例＞
図２に示したように、この発明の情報通信装置の記憶部４は、２つの記憶領域（１４，１５）に分けられる。
ここでＤａｔａＡ領域は、パソコン等の情報機器からは読み書きできない領域とし、ＤａｔａＢ領域はパソコン等で読み書きできる領域とするが、電話網を介した通話やデータ通信によって利用されるデータ（電話固有データ）は、パソコンからアクセスできないように、ＤａｔａＡ領域に格納しておくことが好ましい。
【００５５】
図１４に、記憶部のＤａｔａＡ領域およびＤａｔａＢ領域に格納されるべき情報の一実施例を示す。
ここで、ＤａｔａＡ領域に格納される情報が、パソコンからアクセスできないデータであり、ＤａｔａＢ領域に格納される情報がパソコンとのデータ通信で送受信されるデータである。
【００５６】
＜その他の実施例＞
以上の実施例では、この発明の情報通信装置１をパソコン等の情報機器の外部記憶装置として使用する場合を説明してきた。しかし、情報通信装置１とパソコン４１とを接続する場合、外部記憶装置としての使用する形態のほかに、そのＲＦ通信部７による通信機能を利用したいわゆる無線モデムとして使用する形態もある。
たとえば、パソコン４１とこの発明の情報通信装置１とをＵＳＢケーブルで接続し、この発明の情報通信装置のＲＦ通信部７の機能を使って無線モデムとして機能するようにし、パソコン４１からのインターネット接続要求があれば、所定のダイヤル動作をしてインターネットに接続するようにする。
【００５７】
このように、この発明の情報通信装置１は、外部記憶装置として利用する場合と、あるいは無線モデムとして利用する場合とがあるが、どちらの機能を有効にするかを設定する必要がある。以下にその実施例のいくつかを示す。
まず、この発明の情報通信装置１にＵＳＢケーブルをすでに接続している状態で、無線モデムとして利用するかまたは外部記憶装置として利用するかを設定する場合として、次の３つが考えられる。
【００５８】
〔形態１〕
いわゆる開閉式の装置（Ｃｌａｍｓｈｅｌｌ型）の場合、開状態と閉状態で機能を切りかえる。たとえば、閉から開状態とした場合は、無線モデム機能をＯＮ、外部記憶装置機能をＯＦＦとする。開から閉状態とした場合は無線モデム機能ＯＦＦ、外部記憶装置機能をＯＮとする。
【００５９】
〔形態２〕
蓋部をスライドさせるタイプの装置（Ｓｌｉｄｅｒ型）の場合、スライドさせて蓋部を開けた場合では、無線モデム機能をＯＮ、外部記憶装置機能をＯＦＦとする。スライドをさせない蓋部を閉じた場合では、無線モデム機能をＯＦＦ、外部記憶装置機能をＯＮとする。
【００６０】
〔形態３〕
特定のキースイッチの押下げにより、両機能を切りかえてもよい。たとえば、「６」キーを長押しし、次に「０」を３回入力するという一組の操作により、両機能を切りかえてもよい。この一組の操作を一回すれば、無線モデム機能をＯＮかつ外部記憶装置機能をＯＦＦとし、次の一組の操作をしたときには、無線モデム機能をＯＦＦかつ外部記憶装置機能をＯＮとする。
【００６１】
また、ＵＳＢケーブルを接続しない状態で、先に上記形態１，２または３のいずれかの操作をすることにより、どちらの機能を利用するかを決めてもよい。
たとえば、〔形態１〕において、ＵＳＢケーブルを接続しない状態で蓋部を開き、その後ＵＳＢケーブルを接続した場合は、無線モデム機能をＯＮ、外部記憶装置機能をＯＦＦとする。
また、ＵＳＢケーブルを接続しない状態で蓋部を閉じ、その後ＵＳＢケーブルを接続した場合は、無線モデム機能をＯＦＦ、外部記憶装置機能をＯＮとする。
【００６２】
〔形態２〕において、ＵＳＢケーブルを接続しない状態でスライドさせ蓋部を開け、その後ＵＳＢケーブルを接続した場合は無線モデム機能をＯＮ、外部記憶装置機能をＯＦＦとする。また、ＵＳＢケーブルを接続しない状態でスライドを閉じ、その後ＵＳＢケーブルを接続した場合は無線モデム機能をＯＦＦ、外部記憶装置機能をＯＮとする。
【００６３】
〔形態３〕において、ＵＳＢケーブルを接続しない状態で特定の一組のキー操作をし、その後ＵＳＢケーブルを接続した場合は、無線モデム機能をＯＮ、外部記憶装置機能をＯＦＦとする。
また、特定の一組のキー操作をせずに、ＵＳＢケーブルを接続した場合は、無線モデム機能をＯＦＦ、外部記憶装置機能をＯＮとする。
このような操作により、２つの機能（無線モデム機能、外部記憶装置機能）の切りかえをすれば、ＵＳＢケーブルの抜き差しをする必要はなく、容易な操作でインターネットを介したデータのダウンロードと、パソコンにダウンロードしたデータの記憶部４への格納とをすることができる。
【図面の簡単な説明】
【００６４】
【図１】この発明の情報通信装置の一実施例の構成ブロック図である。
【図２】この発明の記憶部の第２データ記憶領域（ＤａｔａＢ）の説明図である。
【図３】この発明の実施例１のデータ通信および割込み処理の説明図である。
【図４】この発明の実施例の表示部の画面表示例である。
【図５】この発明の実施例２のＵＳＢケーブルが接続された場合のフローチャートである。
【図６】この発明の実施例２のＵＳＢケーブルが取りはずされた場合のフローチャートである。
【図７】この発明のＲＦ通信部への電源供給を制御する実施例の説明図である。
【図８】この発明のＲＦ通信部へのクロック供給を制御する実施例の説明図である。
【図９】この発明のＲＦ通信部へのリセット信号を制御する実施例の説明図である。
【図１０】この発明のＲＦ通信部にレジスタを設けて動作を制御する実施例の説明図である。
【図１１】この発明のＲＦ通信部をハードウェア的に制御する実施例の説明図である。
【図１２】基地局との通信により電話網を介した通信機能を制御する実施例の説明図である。
【図１３】この発明の実施例２の表示部の画面表示例である。
【図１４】この発明の実施例３の記憶部に記憶される情報の一実施例の説明図である。
【図１５】従来のデータ通信におけるデータの不整合と破壊状態を説明する図である。
【符号の説明】
【００６５】
１  情報通信装置
２  入力部
３  表示部
４  記憶部
５  制御部
６  通信制御部
７  ＲＦ通信部
８  ＷＬＡＮ通信部
９  Ｂｌｕｅｔｏｏｔｈ通信部
１０  ＵＳＢ通信部
１４  第１データ記憶領域
１５  第２データ記憶領域
２０  電話網
３１  ＲＦ端末
３２  ＷＬＡＮ端末
３３  Ｂｌｕｅｔｏｏｔｈ端末
４１  情報機器
【図１】
2006197481.tif 000003
【図２】
2006197481.tif 000004
【図３】
2006197481.tif 000005
【図４】
2006197481.tif 000006
【図５】
2006197481.tif 000007
【図６】
2006197481.tif 000008
【図７】
2006197481.tif 000009
【図８】
2006197481.tif 000010
【図９】
2006197481.tif 000011
【図１０】
2006197481.tif 000012
【図１１】
2006197481.tif 000013
【図１２】
2006197481.tif 000014
【図１３】
2006197481.tif 000015
【図１４】
2006197481.tif 000016
【図１５】
2006197481.tif 000017